(57)【要約】      （修正有）【課題】音声変調を利用したドア解錠方法、資産使用権リース方法及びそれを使用するシステムを提供する。【解決手段】ドア２１２は、音声受信装置を有し、ドア解錠方法は、モバイルデバイス２０２中に、解錠シーケンスを記憶する工程と、解錠シーケンスに対し音声変調を行い、音声変調声紋信号を生成し、そのうち、音声変調声紋信号の周波数範囲は音声周波数である工程と、モバイルデバイスのスピーカーを介して、音声変調声紋信号を発出する工程と、音声受信装置２１３が音声変調声紋信号を受信したとき、解錠シーケンスを得るために音声復調を行う工程と、解錠シーケンスが規範に符合するか否かを比較して、ドアを解錠するか否かを判定する工程とを設けた。【選択図】図２
2015059422.tif 000002
【特許請求の範囲】
【請求項１】
ドア解錠方法であって、
前記ドアは、音声受信装置を有し、
前記ドア解錠方法は、
モバイルデバイスに解錠シーケンスを記憶する工程と、
前記解錠シーケンスに対し音声変調を行い、音声変調声紋信号を生成し、そのうち、前記音声変調声紋信号の周波数範囲は音声周波数である工程と、
前記モバイルデバイスのスピーカーを介して、前記音声変調声紋信号を発出する工程と、
前記音声受信装置が前記音声変調声紋信号を受信し、音声復調を行い、前記解錠シーケンスを獲得する工程と、
前記解錠シーケンスが規範に符合するか否かを比較し、前記ドアを解錠するか否か判定する工程と、
を含むことを特徴とするドア解錠方法。
【請求項２】
犯罪者に録音装置により音声変調声紋信号を録音されないために、前記音声変調は、音声スペクトラム拡散変調であり、エネルギーを音声周波数に平均的に分布することを特徴とする請求項１記載のドア解錠方法。
【請求項３】
犯罪者に録音装置により音声変調声紋信号を録音されないために、
前記解錠シーケンスは、解錠フィールドおよび同期シーケンスフィールドを含み、
且つ前記音声変調は、
前記解錠シーケンスに対しデジタル符号化を行い、前記デジタル符号化はホッピングコード暗号化を採用すること、及び
前記デジタル符号化と音声搬送波を変調して、前記音声変調声紋信号を獲得することを含む
ことを特徴とする請求項１記載のドア解錠方法。
【請求項４】
前記音声搬送波の周波数は、１２ＫＨｚ〜２０ＫＨｚの範囲内であり、前記音声変調声紋信号を１２ＫＨｚ〜２０ＫＨｚの範囲内にさせることを特徴とする請求項３記載のドア解錠方法。
【請求項５】
「前記解錠シーケンスに対して前記デジタル符号化を行い、前記デジタル符号化は前記ホッピングコード暗号化を採用する」工程は、
前記解錠シーケンスに、ドア番号シーケンス及び同期計数シーケンスを設け、そのうち、前記同期計数シーケンスは同期計数値を保存する工程と、
前記解錠シーケンスを符号化して、暗号化シーケンスとし、そのうち、前記暗号化シーケンスは、固定コードシーケンス及びホッピングコードシーケンスを含み、そのうち、前記ホッピングコードシーケンスは、前記同期計数値に応じて変更する工程と、
前記音声変調声紋信号を出力するたびに、前記解錠シーケンスの同期計数シーケンスに保存した同期計数値に所定値を加える工程と、
を含むことを特徴とする請求項３記載のドア解錠方法。
【請求項６】
前記「音声復調を行い、解錠シーケンスを得る」工程は、
前記音声変調声紋信号と前記音声搬送波に対し復調を行い、前記暗号化シーケンスを獲得する工程と、
前記暗号化シーケンスのホッピングコードシーケンスに対しデコードプロセスを行い、前記ドア番号シーケンス及び前記同期計数シーケンスが得られる工程と、
前記同期計数シーケンスの同期計数値と前記ドアが保存したドア計数値との差異が所定範囲内であるか否かを判定する工程と、
前記同期計数シーケンスの同期計数値と、前記ドアが保存した前記ドア計数値との差異が所定範囲内であるか否かに応じて、ドア番号シーケンス及び固定コードシーケンスがドアの規範に符合するか否か判定する工程と、
前記ドア番号シーケンス及び前記固定コードシーケンスが前記ドアの規範に符合するか否かに応じて、ドア解錠を行うとともに、前記ドア計数値に前記所定値を加えて、次にドアを解錠するときの前記ドア計数値とする工程と、
を含むことを特徴とする請求項５記載のドア解錠方法。
【請求項７】
前記ドア解錠方法は、ホテルリザベーションシステムに用いられ、且つ前記ドア解錠方法は、更に、
前記モバイルデバイスのアプリケーションソフトを利用して、インターネット部屋予約を行う工程と
ユーザーが前記モバイルデバイスのアプリケーションソフトを利用して、予約プロセスを完了すると、前記解錠シーケンス及び前記解錠シーケンスに対応する部屋番号を獲得する工程と、
ユーザーが前記アプリケーションソフトを介して、ドア解錠プロセスを行うとき、
前記解錠シーケンスに対して前記音声変調を行い、前記音声変調声紋記号を生成し、
前記モバイルデバイスのスピーカーを介して、前記音声変調声紋信号を発する工程と、
を含むことを特徴とする請求項１記載のドア解錠方法。
【請求項８】
資産使用権リース方法であって、前記資産は、音声受信装置を有し、前記資産使用権リース方法は、
前記モバイルデバイスのアプリケーションシステムを介して、インターネット資産リースを行う工程と、
ユーザーが前記モバイルデバイスの前記アプリケーションソフトを利用して、インターネット資産リースプロセスを完了すると、解錠シーケンス及び前記解錠シーケンスに対応する資産シリアル番号を獲得する工程と、
ユーザーが前記アプリケーションを介して、資産リース解錠プロセスを行うとき、前記解錠シーケンスに対し音声変調を行い、音声変調声紋信号を生成し、前記モバイルデバイスのスピーカーを介して、前記音声変調声紋信号を発出する工程と、
前記音声受信装置が前記音声変調声紋信号を受信すると、音声復調を行い、前記解錠シーケンスを獲得する工程と、
前記解錠シーケンスが規範に符合するか否かを比較し、前記資産を解錠するか否かを判定する工程と、
を含むことを特徴とする資産使用権リース方法。
【請求項９】
犯罪者に録音装置で前記音声変調声紋信号を録音されないために、前記音声変調は音声スペクトラム拡散変調であり、エネルギーを音声周波数において平均的に分布させることを特徴とする請求項８記載の資産使用権リース方法。
【請求項１０】
犯罪者に録音装置で前記音声変調声紋信号を録音されないために、前記解錠シーケンスは、解錠フィールド及び同期シーケンスフィールドを含み、
且つ前記音声変調は、
前記解錠シーケンスに対してデジタル符号化処理を行い、前記デジタル符号化は、ホッピングコード暗号化処理を採用すること、及び
前記デジタル符号化と音声搬送波に対し変調を行い、前記音声変調声紋信号を獲得すること、を含むことを特徴とする請求項８記載の資産利用権リース方法。
【請求項１１】
前記音声搬送波の周波数は１２ＫＨｚ〜２０ＫＨｚの範囲内であり、前記音声変調声紋信号を１２ＫＨｚ〜２０ＫＨｚの範囲内にすることを特徴とする請求項１０記載の資産使用権リース方法。
【請求項１２】
前記「解錠シーケンスに対し前記デジタル符号化処理を行い、前記デジタル符号化処理は前記ホッピングコード暗号化処理を採用する」工程は、
前記解錠シーケンスにおいて、資産番号シーケンス及び同期計数シーケンスを設け、そのうち、前記同期計数シーケンスは同期計数値を保存する工程と、
前記解錠シーケンス番号は、暗号化シーケンスであり、そのうち、前記暗号化シーケンスは、固定コードシーケンス及びホッピングコードシーケンスを含み、そのうち、前記ホッピングコードシーケンスは、前記同期計数値に応じて変更する工程と、
前記音声変調声紋信号を出力するたびに、前記解錠シーケンス中の同期計数シーケンスに保存した同期計数値に所定値を加える工程と、
を含むことを特徴とする請求項１０記載の資産使用権リース方法。
【請求項１３】
前記「音声復調を行い、前記解錠シーケンスを獲得する」工程は、
前記音声変調声紋信号と前記音声搬送波に対し復調を行い、前記暗号化シーケンスを獲得する工程と、
前記暗号化シーケンスのホッピングコードシーケンスに対しデコードプロセスを行い、前記資産番号シーケンス及び前記計数シーケンスを獲得する工程と、
前記同期計数シーケンスの同期計数値と、前記資産が保存した資産計数値との差異が所定範囲内であるか否か判定する工程と、
前記同期計数シーケンスの同期計数値と、前記資産が保存した前記資産計数値との差異が前記所定範囲内であるか否かに応じて、前記資産番号シーケンス及び前記固定コードシーケンスが前記資産の規範に符合するか否かを判定する工程と、
前記資産番号シーケンス及び前記固定コードシーケンスが前記資産の規範に符合するとき、資産解錠を行うとともに、前記資産計数値に前記所定値を加えて、次の解錠する前記資産の前記資産計数値とする工程と、
を含むことを特徴とする請求項１２記載の資産使用権リース方法。
【請求項１４】
複数の資産と、リースサーバーと、を含む資産使用権リースシステムであって、
各前記資産は、シリアル番号をそれぞれ有し、且つ
各前記資産は、音声受信装置と、前記音声受信装置が受信した音声に対し音声復調を行う音声デコード装置と、をそれぞれ含み、
前記リースサーバーは、資産ポートを有し、そのうち、前記リースサーバーはインターネットに接続され、
ユーザーがモバイル装置のアプリケーションソフトを介して、インターネットにより前記リースサーバーと接続し、インターネット資産リースを行うとともに、インターネットリースプロセスが完了すると、前記リースサーバーは解錠シーケンス及び前記解錠シーケンスに対応する資産シリアル番号を前記モバイル装置に伝送し、
そのうち、前記リースサーバーは前記資産ポートを介して、前記解錠シーケンスを前記資産シリアル番号に対応する資産へ伝送し、
ユーザーがアプリケーションソフトを介して、資産リース解錠プロセスを行うとき、前記解錠シーケンスに対し音声変調を行い、音声変調声紋信号を生成し、前記モバイルデバイスのスピーカーを介して、前記音声変調声紋信号を発出し、
前記音声受信装置が前記音声変調声紋信号を受信した時、前記音声デコード装置が音声復調を行い、前記解錠シーケンスを獲得し、
前記音声デコード装置は、前記解錠シーケンスが保存した解錠シーケンスと符合するか否か比較し、前記資産を解錠するか否か判定する
ことを特徴とする資産使用権リースシステム。
【請求項１５】
犯罪者に録音装置により前記音声変調声紋信号を録音されないために、前記音声変調は、音声スペクトラム拡散変調であり、エネルギーを音声周波数において平均的に分布させることを特徴とする請求項１４記載の資産使用権リースシステム。
【請求項１６】
犯罪者に録音装置により前記音声変調声紋信号を録音されないために、前記解錠シーケンスは、解錠フィールド及び同期シーケンスフィールドを有し、且つ、
前記モバイルデバイスが前記解錠シーケンスに対して前記音声変調を行う工程は、
前記解錠シーケンスに対しデジタル符号化処理を行い、前記デジタル符号化処理はホッピングコード暗号化処理を採用する工程と、
前記デジタル符号化処理と音声搬送波に対し変調を行い、前記音声変調声紋信号を獲得する工程と、
を含むことを特徴とする請求項１４記載の資産使用権リースシステム。
【請求項１７】
前記音声搬送波の周波数は、１２ＫＨｚ〜２０ＫＨｚの範囲内であり、前記音声変調声紋信号は、１２ＫＨｚ〜２０ＫＨｚの範囲内にすることを特徴とする請求項１６記載の資産使用権リースシステム。
【請求項１８】
前記「モバイルデバイスが前記解錠シーケンスに対して前記デジタル符号化処理を行い、前記デジタル符号化処理は前記ホッピングコード暗号化処理である」工程は、
前記解錠シーケンス中に、資産番号シーケンス及び同期計数シーケンスを設け、そのうち前記同期計数シーケンスは同期計数値を保存する工程と、
前記解錠シーケンスを暗号化シーケンスに符号化し、そのうち、前記暗号化シーケンスは、固定コードシーケンス及びホッピングコードシーケンスを含み、そのうち、前記ホッピングコードシーケンスは前記同期計数値に応じて変更する工程と、
前記音声変調声紋信号が出力されるたびに、前記解錠シーケンス中の同期計数シーケンスが保存した同期計数値に所定値を加える工程と、
を含むことを特徴とする請求項１６記載の資産使用権リースシステム。
【請求項１９】
「前記音声変調を行い、前記解錠シーケンスを獲得する」工程は、
前記音声変調声紋信号と、前記音声搬送波に対して復調を行い、前記暗号化シーケンスを獲得する工程と、
前記暗号化シーケンスのホッピングコードに対しデコードプロセスを行い、前記資産番号シーケンス及び前記同期計数シーケンスを獲得する工程と、
前記同期計数シーケンスの同期計数値と、前記資産が保存した資産計数値との差異が所定範囲内であるか否かを判定する工程と、
前記同期計数シーケンスの同期計数値と、前記資産が保存した前記資産計数値との差異が前記所定範囲内であるかいなかに応じて、前記資産番号シーケンス及び前記固定コードシーケンスが前記資産の規範に符合するか否かを判定する工程と、
前記ドア番号シーケンス及び前記固定コードシーケンスが前記資産の規範に符合している場合、資産の解錠を行うとともに、前記資産計数値に前記所定値を加えて、次の資産解錠の前記資産計数値とする工程と、
を含むことを特徴とする請求項１８記載の資産使用権リース方法。
【発明の詳細な説明】
【技術分野】
【０００１】
本発明はドア解錠技術に関し、特に、本発明は音声変調を利用してドア解錠を行う方法、この方法を利用した資産使用権リース方法及びそれを使用するシステムに関する。
【背景技術】
【０００２】
現代経済、産業の発展に伴い、現在の住宅設備、インテリアはますます品質を求める一方、現代人は更に生活品質及び個人生活のプライバシーを高め、住居環境の安全性、雰囲気、嗜好なども重要な評価項目になった。そしてドアは住居の第一の景観であるとともに、ドアは屋内の各部屋の廊下を隔てる建具でもあるので、優れたデザインのドアは個人住宅の嗜好を高める効果を有する。
【発明の概要】
【０００３】
現在、一般家庭又は行政機関、企業の出入り口のドアには、一般的にいずれも機械式ドアロックが使用されており、鍵によりボルトを動かすという原理である。この種のドアロックは通常、実体のあるカギによってのみ、開けることができる。鍵を無くした場合、ドアロックを解除することができなくなり、且つこの従来の機械式ドアロックは犯罪者により容易に破壊され、このドアロックの防犯効果は優れていない。現在ではパスワードロック、ＩＣロックなど各種のセーフティ防犯ロックがあるが、しかし、その防犯効果は依然限定的であり、且つ解錠過程は煩雑である。そして、安全性にとって、パスワードロックは、盗撮されて盗まれる恐れがあり、ＩＣロックは、パスワードが盗まれ、解錠命令がスキミングされる可能性がある。
【発明が解決しようとする課題】
【０００４】
従って、先ず、例えば、声紋認証キーのような生物認証キーを採用することもある。声紋認証キーは、主にユーザーの声の特徴をキャプチャーし、比較認証を行う。この応用には、以下のような欠点を有する。
【０００５】
１、同一個人の声は容易に変化し、身体の状況、年齢、感情などの影響を受けやすい。
【０００６】
２、異なるマイクロフォン及びチャネルにより、認証性能に影響を与える。
【０００７】
３、環境ノイズは、認証性能に障害を与える。
【０００８】
４、話者が混合する場合、人の声紋特徴をキャプチャするのが困難である。
【０００９】
５、明らかに、上記のいくつかの方法は、依然ドアロックの安全、防犯性の効果が達成できない。
【課題を解決するための手段】
【００１０】
本発明の目的は、ドア解錠方法を提供することであり、モバイルデバイスに解錠シーケンスを記憶することにより、モバイルデバイスのスピーカーから発せられる物理波を媒介として、音声周波数の下、解錠する解錠シーケンスを変調して上記物理波に埋め込む。
【００１１】
本発明の別の目的は、資産使用権リース方法を提供することであり、上記変調後の声紋解錠方法を利用し、アプリケーションソフト（ａｐｐｌｉｃａｔｉｏｎ  ｓｏｆｔｗａｒｅ，ＡＰＰ）を組み合わせ、予約、支払を行うと、上記解錠シーケンスが得られ、ユーザーが場所をリースし、直接上記解錠シーケンスを利用して、所定の変調を組み合わせて、解錠音声を発することにより、上記資産の使用が行える。
【００１２】
これを鑑み、本発明はドア解錠方法を提供する。そのうち、前記ドアは、音声受信装置を有する。前記ドア解錠方法は、モバイルデバイスに、解錠シーケンスを記憶する工程と、解錠シーケンスに対し音声変調を行い、音声変調声紋信号を生成し、ここで、音声変調声紋信号の周波数範囲は音声周波数である工程と、モバイルデバイスのスピーカーを介して、音声変調声紋信号を発声する工程と、音声受信装置が音声変調声紋信号を受信したとき、音声復調を行い、解錠シーケンスを獲得する工程と、解錠シーケンスが規範に符合するか否かを比較し、上記ドアを解錠するか否か判定する工程と、を含む。
【００１３】
本発明の実施例に記載されたドア解錠方法によれば、犯罪者に録音装置を利用して音声変調声紋信号を録音させないために、音声変調は、音声スペクトラム拡散変調であり、エネルギーを音声周波数において平均的に分布させる。更に、別の実施例において、犯罪者に録音装置を利用して音声変調音声信号を録音させないために、解錠シーケンスは、解錠フィールド及び同期シーケンスフィールドを含み、且つ、音声変調は、解錠シーケンスに対しデジタル符号化処理を行う。デジタル符号化処理は、ホッピングコード暗号化を採用する工程と、デジタル符号化と音声搬送波を変調し、音声変調声紋信号を獲得する工程とを含む。前記実施例において、音声搬送波の周波数は、１２ＫＨｚ〜２０ＫＨｚの範囲内であり、音声変調声紋信号を１２ＫＨｚ〜２０ＫＨｚの範囲内にする。
【００１４】
本発明の実施例に記載されたドア解錠方法によれば、前記「解錠シーケンスに対しデジタル符号化処理を行い、デジタル符号化処理は、ホッピングコード暗号化を採用する」工程は、解錠シーケンスにおいて、ドア番号シーケンス及び同期計数シーケンスを設置し、そのうち、同期計数シーケンスが同期計数値を保存する工程と、解錠シーケンス符号を暗号化シーケンスとして符号化し、そのうち、暗号化シーケンスは、固定コードシーケンス及びホッピングコードシーケンスを含み、そのうち、ホッピングコードシーケンスは、同期計数値に基づき変更する工程と、及び前記音声変調声紋信号を出力する毎に、前記解錠シーケンスにおける同期計数シーケンスが保存した同期計数値に所定値を加える工程と、を含む。
【００１５】
本発明の実施例に記載されたドア解錠方法によれば、前記「音声復調を行い、解錠シーケンスを得る」工程は、音声変調声紋信号と音声搬送波に対し復調を行い、暗号化シーケンスを獲得する工程と、暗号化シーケンスのホッピングコードシーケンスに対し復調プロセスを行い、ドア番号シーケンス及び同期計数シーケンスを得る工程と、同期計数シーケンスの同期計数値とドアが保存したドア計数値との差異が所定範囲内であるか否かを判定する工程と、同期計数シーケンスの同期計数値とドアが保存した前記ドア計数値との差異が所定範囲内であるか否かに応じて、ドア番号シーケンス及び固定コードシーケンスがドアの規範に符合するか否か判定する工程と、ドア番号シーケンス及び固定コードシーケンスがドアの規範に符合するか否かに応じて、ドア解錠を行うとともに、ドア計数値に所定値を加えて、次にドアを解錠するときのドア計数値とする工程と、を含む。
【００１６】
前記ドア解錠方法によれば、本発明は更に、資産使用権リース方法を提供する。そのうち、前記資産は、音声受信装置を有する。前記資産使用権リース方法は、モバイルデバイスのアプリケーションソフトを介して、インターネット資産リースを行う工程と、ユーザーがモバイルデバイスのアプリケーションソフトを利用し、インターネット資産リースプロセスを完了し、解錠シーケンス及び解錠シーケンスが対応する資産シリアル番号を得る工程と、ユーザーがアプリケーションソフトを介して、資産リース解錠プロセスを行ったとき、解錠シーケンスを音声変調して、音声変調声紋信号を生成する工程と、モバイルデバイスのスピーカーを介して、音声変調声紋信号を発声する工程と、音声受信装置が前記音声変調声紋信号を受信した時、音声復調を行い、解錠シーケンスを得る工程と、解錠シーケンスが規範に符合するか否か比較し、上記資産を解錠するか否か判定する工程と、を含む。
【００１７】
前記ドア解錠方法及び資産使用権リース方法によれば、本発明は更に、資産使用権リースシステムを提供する。前記資産使用権リースシステムは、複数の資産及びリースサーバーを含む。各資産はそれぞれ、シリアルナンバーを有し、且つ、各資産はそれぞれ、音声受信装置及び音声デコード装置を含む。音声デコード装置は、音声受信装置に接続され、音声受信装置が受信した音声に対し、音声復調を行う。リースサーバーは資産ポートを有し、そのうち、リースサーバーはインターネットに接続し、そのうち、ユーザーがモバイルデバイスのアプリケーションソフトを介して、インターネットによりリースサーバーに接続し、インターネット資産リースを行うとともに、インターネット資産リースプロセスを完了する場合、リースサーバーが解錠シーケンス及び解錠シーケンスに対応した資産シリアル番号を前記モバイルデバイスに送信し、そのうち、リースサーバーが資産ポートを介して解錠シーケンスを前記資産シリアル番号に対応する資産に送信する工程と、ユーザーがアプリケーションソフトを介して、資産リース解錠プロセスを行う場合、解錠シーケンスに対し音声変調を行い、音声変調声紋信号を生成する工程と、モバイルデバイスのスピーカーを介して、音声変調声紋信号を発声する工程と、を含む。音声受信装置が音声変調声紋信号を受信した場合、音声デコード装置が音声復調を行い、解錠シーケンスが得られる工程と、音声デコード装置が前記解錠シーケンスが保存した解錠シーケンスに符合するか否かを比較して、上記資産を解錠するか否かを判定する工程と、を含む。
【発明の効果】
【００１８】
本発明の本質は、ドア解錠方法を提供することであり、モバイルデバイスに記憶した解錠シーケンスにより、モバイルデバイスのスピーカーから発せられた物理波を媒体にして、音声周波数の下、解錠する解錠シーケンスを変調して前記物理波に埋め込む。又、前記変調後の声紋解錠の方法を利用して、インターネットモバイルアプリケーションソフトを組み合わせて、予約支払を行い、上記解錠シーケンスが得られ、ユーザーが場所を賃貸でき、前記解錠シーケンスを直接利用することができ、所定の変調を合わせて、解錠音声を発出して、前記資産の使用を行う。ユーザーがフロントで余計なチェックインの動作を行う必要がない。このため、ユーザーが余計なチェックインにかかる時間が削減できる。
【００１９】
本発明の前記およびその他の目的、特徴及びメリットを更に明確にするために、以下において実施例を挙げ、図面を合わせて、以下のように説明する。
【図面の簡単な説明】
【００２０】
【図１】本発明の実施例のドア解錠システムの概略図である。
【図２】本発明の実施例の資産使用権リースシステム  の概略図である。
【図３】本発明の実施例の音声変調声紋信号ＡＭＶの変調スペクトルの概略図である。
【図４】本発明の実施例の解錠シーケンスの符号化の概略図である。
【図５】本発明の実施例の解錠シーケンスの符号化の概略図である。
【図６】本発明の実施例の音声変調声紋信号ＡＭＶの変調スペクトルの概略図である。
【図７Ａ】本発明の実施例のドア解錠方法のユーザー端のフローチャートである。
【図７Ｂ】本発明の実施例のドア解錠方法のドア側端のフローチャートである。
【図８Ａ】本発明の実施例の資産リース方法のユーザ端のフローチャートである。
【図８Ｂ】本発明の実施例の資産リース方法のリース端のフローチャートである。
【発明を実施するための形態】
【実施例】
【００２１】
図１は、本発明の実施例のドア解錠システムの概略図である。図１を参照すると、前記ドア解錠システムは、ユーザーが使用するモバイルデバイス１０１と、ドア１０２と、ドア声紋キー１０３とを有する。ユーザーは、前記ドア解錠システムを使用する前に、先ず、前記モバイルデバイス１０１に、解錠シーケンスを記憶する必要がある。ユーザーがドア１０２に到達し、解錠を実行した時、モバイルデバイス１０１の解錠アプリケーションソフトを介して、解錠シーケンスを入力する。この時、モバイルデバイス１０１は、解錠シーケンスを音声変調し、音声変調声紋信号ＡＭＶを生成する。変調方法は、例えば、ＦＳＫ、ＡＳＫ、ＰＳＫなどであってもよい。音声変調声紋信号ＡＭＶの周波数範囲が音声周波数に設定され、一般的に、１０Ｈｚ〜２０ＫＨｚである。
【００２２】
変調完了後、モバイルデバイス１０１のスピーカーは、前記音声変調音声信号ＡＭＶを発声する。つまり元の電子信号の音声変調声紋信号ＡＭＶを物理音波に変換する。それに応じて、ドア声紋キー１０３は、前記音声変調声紋信号ＡＭＶを受信するマイクを有する。ドア声紋キー１０３のマイクが音声変調声紋信号ＡＭＶを受信した時、ドア声紋キー１０３は、先ず、音声変調声紋信号ＡＭＶに対し音声復調を行い、解錠シーケンスをデコードする。その後、ドア声紋キー１０３は、解錠シーケンスが規範に符合するか否かを比較する。解錠シーケンスが符合すると、ドア声紋キー１０３は、ドア１０２の解錠動作を行う。
【００２３】
前記実施例により、シーケンスのデコードは、音声周波数の搬送波を介して変調を行う。従って、変調後の音声変調声紋信号ＡＭＶは、音声の周波数１０Ｈｚ〜２０ＫＨｚの範囲内である。よって、音声変調声紋信号ＡＭＶがモバイルデバイス１０１のスピーカーを直接使用して発声することができる。又、音声変調声紋信号ＡＭＶは、ユーザーの声帯の老化、或いはユーザーが病気になっても、音声変調声紋信号ＡＭＶが変化することがないので、本発明の実施例は確実に、ドアのセーフティを制御できる。また、如何なるユーザーの状態によっても、ドア１０２が解錠できないという窮地に立たされることがない。
【００２４】
当業者が本発明の実施例の応用を更に理解できるように、以下において、前記ドア解錠方法を利用して実施する資産使用権リースシステムの例を挙げる。図２は、本発明の実施例の資産使用権リースシステムの概略図である。図２を参照すると、前記資産使用権リースシステムは、ユーザー端２０と、リース端２１と、インターネット２２と、を有する。当業者の理解のために、この例において、前記資産使用権リースシステムは、ホテルのリザベーションシステムにおいて使用すると仮定する。ユーザーが前記ホテルリザベーションシステムを使用して部屋を予約する場合、ユーザーはユーザー端２０のコンピュータ２０１又はモバイルインターネットデバイス（携帯電話又はタブレット端末など）２０２の所定アプリケーションソフトを介してインターネット予約、支払を行わなければならない。この例において、ユーザー端２０は無線インターネット（ＷＩＦＩインターネット）２０４を使用すると仮定する。ユーザーがモバイルインターネットデバイス２０２のアプリケーションソフトを操作して、無線インターネット（ＷＩＦＩ又は３Ｇ）２０４を介して部屋の予約を行う。予約が完了すると、例えば、インターネットでのカード決済後、リース端２１のサーバー２１１は、インターネット２２を介して、モバイルインターネットデバイス２０２に対して予約完了のメッセージと、ドア情報と、解錠シーケンスを発出する。同時に、サーバー２１１は資産ポート（有線又は無線）を介して、解錠シーケンスが対応する解錠情報をユーザーが賃貸する部屋のドア２１１へ伝送する。
【００２５】
ユーザーがホテル２１へ到着した時、ホテルのカウンターでチェックインする必要がなく、直接予定の部屋へ向かうことができる。ユーザーが予定の部屋へ到達した時、ユーザーはユーザーが携帯するモバイルインターネットデバイス２０２を取り出して、アプリケーションソフトを実行し、ドア解錠プロセスを行う。ドア解錠プロセスを行うとき、アプリケーションソフトは、解錠シーケンスに基づき、音声変調を行うとともに、モバイルインターネットデバイス２０２のスピーカーから音声変調声紋信号ＡＭＶを出力する。ドア２１２の音声受信装置２１３が音声変調声紋信号ＡＭＶを受信すると、前記音声変調声紋信号ＡＭＶを電気信号へ変換し、その後、ドア２１２内部の復調回路が復調プロセスを開始するとともに、解錠シーケンスが正確であるか否かを比較する。解錠シーケンスが正確である場合、ドア２１２が解錠する。
【００２６】
前記実施例において、ドア２１２を図示したのみであるが、当業者は、リース端２１のドアは一つではないことを理解でき、ここにおいて、単にモデルとしてドア２１２を図示したに過ぎないので、以下省略する。
【００２７】
前記実施例において、音声変調声紋信号ＡＭＶが録音装置により録音されないように、以下において音声変調の実施例を提供する。図３は、本発明の実施例の音声変調声紋信号ＡＭＶの変調スペクトラムの概略図である。図３を参照すると、この実施例において、符号３０１は、本発明の実施例が採用したスペクトラム拡散（Ｓｐｒｅａｄ  Ｓｐｅｃｔｒｕｍ）通信変調のスペクトラムを示す。符号３０２は、例えば、振幅変調（Ａｍｐｌｉｔｕｄｅ  Ｍｏｄｕｌａｔｉｏｎ，ＡＭ）、周波変調（Ｆｒｅｑｕｅｎｃｙ  Ｍｏｄｕｌａｔｉｏｎ，ＦＭ）、単側波帯（Ｓｉｎｇｌｅ  ＳｉｄｅＢａｎｄ，ＳＳＢ）などのような一般の変調のスペクトラムを示す。この実施例において、解錠シーケンスの符号化は複数段に分けられ、各段は異なるチャンネルを介して伝送され、変調方法は、周波数分割多重（Ｆｒｅｑｕｅｎｃｙ  Ｄｉｖｉｓｉｏｎ  Ｍｕｌｔｉｐｌｅｘｉｎｇ，ＦＤＭ）又は、直行周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）を選択することができる。
【００２８】
このスペクトラムの図から、本発明の実施例に採用されたスペクトラム拡散（Ｓｐｒｅａｄ  Ｓｐｅｃｔｒｕｍ）通信変調のスペクトラム３０１のエネルギーが従来技術に採用されたスペクトラムのエネルギーと比較して非常に低いことがわかる。スペクトラム３０１は、物理波上において反映され、モバイルインターネットデバイス２０２又はモバイル通信デバイス１０１から発出された音声変調声紋信号ＡＭＶの音声は背景音と非常に近いことを表す。従って、犯罪者が盗聴しようとしても、録音機材が前記モバイルインターネットデバイス２０２又はモバイル通信装置１０１のスピーカーに極めて近くでなければ、音声変調声紋信号ＡＭＶを録音することができない。そのほか、このスペクトラム拡散（Ｓｐｒｅａｄ  Ｓｐｅｃｔｒｕｍ）の通信変調の別のメリットは、ユーザーが前記音声変調声紋信号ＡＭＶを発出しても、ユーザに不快な音声は聞こえないことである。
【００２９】
同様に、上記実施例において、音声変調声紋信号ＡＭＶが録音装置により録音されないように、以下の実施例において、前記一般変調３０２の方法により変調を行い、そして、解錠シーケンスは、別の符号化が行われる。図４は、本発明の実施例の解錠シーケンスの符号化の概略図である。図４を参照すると、この実施例は、例えば、前記図２のホテルリザベーションシステムに応用される。この実施例において、解錠シーケンス４１は、１２ビットのドア番号フィールド４１１を含む以外に、更に、８ビットの同期計数フィールド４１２が増加する。この同期計数フィールド４１２は、ユーザーが前記モバイルインターネットデバイス２０２又はモバイル通信装置１０１を操作して、アプリケーションソフトに音声変調声紋信号ＡＭＶを発出させる回数に従って増加する。
【００３０】
前記実施例において、毎回ユーザーが前記アプリケーションソフトを操作してドア解錠の動作を行ったと仮定すると、１２ビットのドア番号フィールド４１１及び８ビットの同期計数フィールド４１２は、２０ビットのホッピングコード４２１及び１６ビッドの固定コード４２２に符号化され、そのうち、１６ビッドの固定コード４２２は、前記１２ビットのドア番号フィールド４１１及び４ビットのファンクションコード４２３を含む。
【００３１】
図５は、本発明の実施例の解錠シーケンスのデコードの概略図である。図５を参照すると、ドア２１２の音声受信装置２１３が音声変調声紋信号ＡＭＶを受信した時、前記音声変調声紋信号ＡＭＶを電気信号に変換する。その後、ドア２１２内部の復調回路が復調プロセスを開始する。この時、前記２０ビットのホッピングコード４２１及び１６ビットの固定コード４２２を獲得する。次に、ドア２１２内部の復調回路が更に、前記２０ビットのホッピングコード４２１に対しデコードプロセス５０１を行い、１２ビットのドア番号５０２及び８ビットの同期計数５０３を得るとともに、同時に、１６ビットの固定コード４２２もドア番号５０４及びファンクションコード５０５に分けられる。この時、ドア２１２内部の復調回路は、１６ビットの固定コード４２２のドア番号とホッピングコード５０２がデコードされたドア番号５０２とが同一であるか否か検査する。ホッピングコード４２１がデコードされたドア番号５０２と固定コード４２２のドア番号５０３が同一である場合、ドア２１２内部の復調回路は、再度ドア２１２が保存したドア番号と、前記ホッピングコード４２１がデコードしたドア番号５０２と、固定コード４２２のドア番号５０４とが同一であるか検査する。ドア２１２が保存したドア番号が、前記ホッピングコード４２１が復調したドア番号５０２と固定コード４２２のドア番号５０４とが同一であると判断した場合、ドア２１２内部の復調回路がドア２１２内部に保存した同期計数値及び前記ホッピングコード４２１がデコードした同期計数値５０３に対して比較を行う。この実施例において、同期計数値５０３の比較は以下の規則を有する。この規則は以下の表に表示する。
【００３２】
【表１】
2015059422.tif 000003
【００３３】
先ず、ドア２１２が新たに受信した（デコード後の）同期計数値は、ドアが保存した古い同期計算値より大きくなる必要がある。一般的に、ユーザーが開門に成功するたびに、ドア２１２内部の制御関連回路は、開門成功時の同期計数値を保存する。この時、犯罪者に録音装置により前記音声変調声紋信号ＡＭＶを録音され、且つドア２１２に対して発声すると、前記表１の例１に示すように、この時、ドア２１２内部の復調回路は、保存した同期計数値と新たに受信した同期計数値を比較して、新たに受信した同期計数値が保存した同期計数値より小さいので、解錠が行われない。
【００３４】
次に、例２において、再度、ユーザーが開門動作を行い、この時、ドア２１２内部の制御関連回路に保存する同期計数値が１００であり、新たに受信した同期計数値が１０５である。一般的に、設計した同期計数値は一定の許容範囲を有し、同期確認差と称す。この実施例において、前記同期確認差を１６とする。つまり、ドア２１２内部の制御関連回路に保存した同期計数値が１００である場合、新たに受信した同期計数値が１０１〜１１６であると、いずれも解錠可能な範囲である。この例において、ユーザーが開門に成功し、ドア２１２内の制御関連回路に保存した同期計数値は１０５に同期更新する。
【００３５】
次に、例３において、ユーザーが開門の動作を行う。この時、ドア２１２内部の制御関連回路に保存した同期計数値が１０５であり、新たに受信した同期計数値が１２５である。両者の差異値が２０であり、前記同期確認差１６よりも大きいので、ドア２１２は作動せず、前記同期計数値１２５を一時メモリに保存され、ユーザーの次の解錠の動作を待つ。この例において、ドア２１２内部に、一時同期確認差が別に内蔵され、この一時同期確認差は４である。ユーザーが次に解錠するとき、ドア２１２が新たに受信した同期計算値が１２６〜１３０の範囲である場合、ドア２１２は解錠動作を行うことができる。この例において、新たに受信した同期計算値は１２６であるので、ドア２１２内部の制御関連回路は新たに同期して、新たな同期計数値１２６を保存するとともに、解錠動作を行う。
【００３６】
前記実施例から、本実施例において、スペクトラム拡散を使用しなくても、犯罪者は録音を行えるが、しかし、録音した音声変調声紋信号ＡＭＶの内の同期計数値がドア２１２が保存した同期計数値よりも小さいので、依然解錠動作を行うことができない。
【００３７】
この他、図６は、本発明の実施例の音声変調声紋信号ＡＭＶの変調スペクトラムの図である。図６を参照すると、符号６０１は、本発明の実施例が採用する一般の変調のスペクトラムである。この実施例において、物理波の音声変調声紋信号ＡＭＶのスペクトラムエネルギーは１７ＫＨｚ〜２０ＫＨｚの範囲内である。この１７ＫＨｚ〜２０ＫＨｚの範囲の周波数は特徴があり、この帯域の周波数範囲は実質的に人の聴覚器にとって、既に聞こえないものである。なぜなら人の聴覚の最高周波数は１５．１ＫＨｚであるからである。一般的に、若者は、人体及び頭蓋骨を介して、感じた１６ＫＨｚ〜２０ＫＨｚ範囲の音波を大脳の聴覚脳エリアに伝えることができるので、この音波の存在を感じることができる。しかし、一般的な成人はこの帯域周波数の静穏が聞こえない又は感じることがほぼ完全にできないので、この帯域を使用して変調を行い、音声変調声紋信号ＡＭＶを発出しても、如何なる耳障りな又は不自然な音が聞こえない。
【００３８】
又、実務上、いくつかのモバイルデバイスのスピーカーの周波数が１７ＫＨｚ〜２０ＫＨｚの信号に反応できないか、またはその対応する音声信号処理装置が１７ＫＨｚ〜２０ＫＨｚの信号を生成することができないことがあるが、このような状況に対応するために、別の実施例において、１２ＫＨｚ〜１６ＫＨｚの範囲の周波数を採用して音声変調を行う。この周波数は、一般ユーザーにとって、聞こえる可能性がある周波数であるが、しかし、この周波数の音波は人にとって、鈍いものである。又、この周波数は振幅が非常に大きい音波を放出しても、大きい音には感じられない。
【００３９】
前記図１のドア解錠システムに基づき、ドア解錠方法にまとめることができる。図７Ａは、本発明の実施例のドア解錠方法のユーザー端のフローチャートである。図７Ａを参照すると、このドア解錠方法のユーザー端の動作は以下の工程を含む。
【００４０】
ステップＳ７０１：スタート。
【００４１】
ステップＳ７０２：モバイルデバイス１０１に解錠シーケンスを記憶する。
【００４２】
ステップＳ７０３：解錠シーケンスに対し音声変調を行い、音声変調声紋信号ＡＭＶを生成する。
【００４３】
ステップＳ７０４：モバイルデバイス１０１のスピーカーを介して、音声変調声紋信号ＡＭＶを発出する。
【００４４】
図７Ｂは、本発明の実施例のドア解錠方法のドア側端のフローチャートである。図７Ｂを参照すると、このドア解錠方法のドア側端の動作は以下の工程を含む。
【００４５】
ステップＳ７０５：スタート。
【００４６】
ステップＳ７０６：音声を受信する。ドア内蔵の音声受信装置により音声を受信する。
【００４７】
ステップＳ７０７：音声復調を行う。受信した音声が前記音声変調声紋信号ＡＭＶである場合、このステップにより解錠シーケンスを獲得する。
【００４８】
ステップＳ７０８：音声変調声紋信号ＡＭＶであるか否かを判断する。前記音声変調声紋信号ＡＭＶを確認した場合、ステップＳ７０９を行う。前記音声変調声紋信号ＡＭＶでない場合、ステップＳ７０６に戻り引き続き音声を受信する。
【００４９】
ステップＳ７０９：解錠シーケンスが規範に符合するか否かを比較する。規範に符合するとき、ステップＳ７１０を行い、規範に符合しないとき、ステップＳ７１１を行う。
【００５０】
ステップＳ７１０：解錠プロセスを行う。
【００５１】
ステップＳ７１１：解錠プロセスを行わず、ステップＳ７０５に戻る。
【００５２】
同じ原理により、前記図２の資産リースシステムに基づき、資産リース方法にまとめることができる。図８Ａは、本発明の実施例の資産リース方法のユーザー端のフローチャートである。図８Ａを参照すると、この資産リース方法のユーザー端の動作は以下の工程を含む。
【００５３】
ステップＳ８０１：スタート。
【００５４】
ステップＳ８０２：モバイルデバイスのアプリケーションソフトを介して、インターネット資産リースを行う。
【００５５】
ステップＳ８０３：インターネット資産リースが完了したか否かを判断する。完了した場合、ステップＳ８０４を行い、完了していない場合、ステップＳ８０２へ戻り引き続きインターネット資産リースプロセスを行う。
【００５６】
ステップＳ８０４：ユーザーが前記モバイルデバイスのアプリケーションソフトを利用して、インターネット資産リースプロセスを完了すると、解錠シーケンス及び解錠シーケンスに対応する資産シリアル番号が得られる。
【００５７】
図８Ｂは本発明の実施例の資産リース方法のリース端のフローチャートである。図８Ｂを参照すると、ユーザーが資産リースを完了すると、前記図７Ａのフロー（ステップＳ８０５）及び図７Ｂのフロー（ステップＳ８０６）を利用して資産解錠を行い、余計にフロントでチェックインを行う必要がなく、ユーザーの時間及びリース端の人的労働力を省くことができる。
【００５８】
前記実施例において、資産リースはホテル予約を例にしているが、当業者は、自動車又はバイクのレンタル又はその他の業種においても、いずれも本発明の方法を応用することができることが理解できる。故に、本発明はこれに制限されない。この他、前記図４及び図５の実施例において、各フィールドのビット数はいずれもモデル的な例である。当業者は、異なる設計に応じて、前記各フィールドのビットがいずれも異なることが可能であると理解できるので、本発明はこれに制限されない。
【産業上の利用可能性】
【００５９】
以上より、本発明の本質はドア解錠方法を提供することにあり、モバイルデバイスに解錠シーケンスを記憶し、モバイルデバイスのスピーカーから発出される物理波を媒体にして、音声周波数の下、解錠する解錠シーケンスを前記物理波に変調し埋め込む。また、前記変調後の声紋解錠方法を利用して、インターネットモバイルアプリケーションソフトを組み合わせて、予約、支払を行うとともに、前記解錠シーケンスを獲得し、ユーザーは場所を賃貸することができ、前記解錠シーケンスを直接利用して、所定の変調を組み合わせて、解錠音声を発出して、前記資産の使用を行う。ユーザーがフロントにて余計なチェックインの動作を行う必要がないので、ユーザーはチェックインのための時間を削減することができる。
【００６０】
実施例中の詳細な説明において提出された具体的な実施例は単に本発明の技術内容を説明するものに過ぎず、本発明を前記実施例に狭義に制限するものではない。本発明の本質及び以下の特許請求の範囲を逸脱しなければ、この変更実施は、いずれも本発明の範囲内である。したがって、本発明の保護範囲は以下の特許請求の範囲に定義されたものを基準とする。
【符号の説明】
【００６１】
１０１：モバイル通信装置
１０２、２１２：ドア
１０３：ドア声紋キー
ＡＭＶ：音声変調声紋信号
２０：ユーザー端
２１：リース端
２２：インターネット
２０１：コンピュータ
２０２：モバイルインターネットデバイス
２０４：無線インターネット
２１１：サーバー
２１３：音声受信装置
３０１：本発明実施例が採用するスペクトラム拡散（Ｓｐｒｅａｄ  Ｓｐｅｃｔｒｕｍ）通信変調のスペクトラム
３０２：一般変調のスペクトラム
４１：解錠シーケンス
４１１：１２ビットのドア番号フィールド
４１２：８ビットの同期計数フィールド
４２１：２０ビットのホッピングコード
４２２：１６ビットの固定コード
４２３：４ビットのファンクションコード
５０１：デコードプロセス
５０２：１２ビットのドア番号
５０３：８ビットの同期計数
５０４：ドア番号
５０５：ファンクションコード
６０１：本発明の実施例が採用する一般変調のスペクトラム
Ｓ７０１〜Ｓ７１１：本発明のドア解錠方法の各ステップ
Ｓ８０１〜Ｓ８０６：本発明の実施例の資産リース方法の各ステップ
【図１】
2015059422.tif 000004
【図２】
2015059422.tif 000005
【図３】
2015059422.tif 000006
【図４】
2015059422.tif 000007
【図５】
2015059422.tif 000008
【図６】
2015059422.tif 000009
【図７Ａ】
2015059422.tif 000010
【図７Ｂ】
2015059422.tif 000011
【図８Ａ】
2015059422.tif 000012
【図８Ｂ】
2015059422.tif 000013